(57)【要約】【課題】簡単な構造であるにもかかわらず、長尺物の反り量を、効率よく、しかも、正確に測定することができる長尺物の外形検査装置を提供することを目的とする。【解決手段】長尺物３０の両端部３１、３１を水平に支持するとともに長尺物３０の長軸と直角方向に長尺物３０を転動させながら搬送する一対の天板１１４を有する搬送台１１と、搬送域において設けられ転動する長尺物３０の上面側に触接する案内板１２と、該案内板１２の上下移動を検知するレベルゲージ１７とからなり、前記案内板１２が長尺物３０の両端部３１、３１と中央部３２にそれぞれ触接し搬送台１１の天板１１４に対して平行に上下移動するように進行方向に沿って設けられ、前記レベルゲージ１７がそれぞれの案内板１２の基準面１３の上下移動を検知するように設けられている。【選択図】      図２
2004226210.tif 000002
【特許請求の範囲】
【請求項１】
長尺物の両端部を水平に支持するとともに長尺物の長軸と直角方向に長尺物を転動させながら搬送する一対の天板を有する搬送台と、搬送域において設けられ転動する長尺物の上面側に触接する案内板と、該案内板の上下移動を検知するレベルゲージとからなり、前記案内板が長尺物の両端部と中央部にそれぞれ触接し搬送台の天板に対して平行に上下移動するように進行方向に沿って設けられ、前記レベルゲージがそれぞれの案内板の基準面の上下移動を検知するように設けられていることを特徴とする長尺物の形状検査装置。
【発明の詳細な説明】
【０００１】
【発明の属する技術分野】
本発明は、長尺物の外形を検査する装置に関し、特に、合成樹脂によって押出成形される竪樋、パイプ等の長尺物の反りや変形等の外形を検査するのに好適に使用される装置に関する。
【０００２】
【従来の技術】
合成樹脂製の竪樋、パイプ等の長尺物は、通常、押出成形ラインにおいて、連続的に押出成形された後に、所定の長さに切断されることによって製品とされている。
【０００３】
このようにして製造される長尺物は、長尺であるために、長尺部が反るおそれがある。そのために、製品として出荷される前に、反りが発生していないことを確認する外形検査が行われている。
【０００４】
このような長尺物の反りの湾曲寸法や断面形状を検査する場合、パイプ等の長尺物を一本づつ検査台にのせて、長尺基体の構造体にダイヤルゲージを固定した装置を用いて長尺物の反りを測定していた（例えば、特許文献１を参照。）。
【０００５】
【特許文献１】
特開２００２─２２４０１号公報（図１及び図３）
【０００６】
【発明が解決しようとする課題】
ところで、従来の長尺物の形状検査装置では、長尺物を一本づつ検査台に載置して、それぞれ作業員の手作業によって測定するようになっているために、作業者は静止した状態で反りの湾曲寸法及び断面形状を確認しなければならない。
しかしながら、長尺物の断面形状が円形状の場合や合成樹脂の成形品のように弾性を有する場合に、水平な台に長尺物を静止させることが難しいために、各作業員による測定のバラツキ等が生じるおそれがあり、しかも、作業効率が悪いという問題がある。
【０００７】
本発明は、このような問題を解決するものであり、その目的は、簡単な構造であるにもかかわらず、長尺物の反り量を、効率よく、しかも、正確に測定することができる長尺物の外形検査装置を提供することにある。
【０００８】
【課題を解決するための手段】
本発明の長尺物の外形検査装置は、長尺物の両端部を水平に支持するとともに長尺物の長軸と直角方向に長尺物を転動させながら搬送する一対の天板を有する搬送台と、搬送域において設けられ転動する長尺物の上面側に触接する案内板と、該案内板の上下移動を検知するレベルゲージとからなり、前記案内板が長尺物の両端部と中央部にそれぞれ触接し搬送台の天板に対して平行に上下移動するように進行方向に沿って設けられ、前記レベルゲージがそれぞれの案内板の基準面の上下移動を検知するように設けられていることを特徴とする。
【０００９】
【発明の実施の形態】
以下、本発明の実施の形態を、図面に基づいて説明する。
図１は、本発明の長尺物の外形検査装置の実施の形態の一例を示す概略構成図、図２は本発明の長尺物の外形検査装置の使用状態を示す側面図、図３はその長尺物の外形検査装置の作動を説明するための図で、同図（ａ）  は長尺物が下向きに湾曲している正面図、同図（ｂ）  は上向きに湾曲している正面図、図４は長尺物の外形検査装置の作動を説明するための図で、同図（ａ）  は長尺物の中央部の上下方向の反り量を測定している状態の横断面図、同図（ｂ）  は長尺物の端部の断面形状を測定している状態の横断面図である。
【００１０】
図１〜２において、本発明の長尺物の外形検査装置１０は、長尺物３０の両端部３１、３１を水平に支持するとともに長尺物３０の長軸と直角方向に長尺物３０を転動させながら搬送する一対の搬送台１１、１１と、搬送域において設けられ転動する長尺物３０の上面側に触接する案内板１２と、該案内板１２の上下移動量を測定するレベルゲージ１６とから構成されており、例えば、長尺物として断面円筒形をした竪樋を押出成形する押出成形ラインに続くコンベア２１と重量計２２との間に設けられ、コンベア２１にて搬送された長尺物３０を搬送台１１、１１に転がすように供給して外形を測定するようになっている。
【００１１】
搬送台１１は、基板１１３の上に高さの異なる脚台１１１、１１２がそれぞれ立設されており、脚台１１１、１１２の上に天板１１４が傾斜した状態で掛け渡されて固定されている。
天板１１４は長尺物３０が転動するときに滑らないように滑り止めの処理が施されていことが好ましく、また、天板１１４の傾斜角度としては、特に限定されるものではなく、長尺物３０を天板上で転動させる場合は、通常は３０〜８０度で、好ましくは４５〜７０度である。
【００１２】
案内板１２は、天板１１４と略同じ長さで細長い板状体であり、長尺物３０の両端部３１、３１と中央部３２の上面側にそれぞれ触接するように配設され、搬送台１１の天板１１４に対して平行に進行方向に沿って設けられている。案内板１２の一端側は上反りに湾曲しており、コンベヤ２１から長尺物３０が供給されたときにスムーズに天板１１４へ送り込まれようになっている。
【００１３】
また、案内板１２の中程には基準面１３が設けられており、この基準面１３の両側方に支持軸１４が立設されている。この支持軸１４は固定フレーム１５に設けられた円筒ガイド１６に摺動可能に挿入されている。そして天板１１４と案内板１２と間隔は長尺物３０の外径と同じ寸法にして基準レベルとして設定されており、案内板１２を上方に軽く押圧するだけで平行に移動し間隔が拡がるようになっている。
【００１４】
レベルゲージ１７は、一例としてダイヤルゲージが用いられ、直線的に移動する測定針１７１の移動量の信号を表示部に送信できるものであればよい。このダイヤルゲージ式のレベルゲージ１７は固定フレーム１５の下側に固定した状態で取付られ、測定針１７１が案内板１２の基準面１３に当接するように配置されている。
【００１５】
本発明の長尺物の外径検査装置を用いて長尺物３０の反りや変形を検査するには、まず、押し出し成形ラインおいて切断機にて切断された長尺物３０をコンベア２１にて搬送して、長尺物３０を搬送台１１、１１側に一本供給する。供給された長尺物３０の両端部３１は搬送台１１、１１の天板１１４、１１４に支持されて下方に転動しながら重量計２２へと落下して行く。
【００１６】
長尺物３０に反りがある場合、長尺物３０は天板１１４と案内板１２との間で挟まれた状態で転動するときに、長尺物３０の中央部３２では軸心が偏心した状態で回転することになる。長尺物３０が天板１１４上を一回転する間に、図３（ａ）  に示すように反りが下向きに湾曲したり状態から、図３（ｂ）  に示すように半回転（１８０°回転）で上向きに湾曲した状態となり、さらに回転して一回転（３６０°）で下向きに湾曲した状態となる。
【００１７】
このように長尺物３０が天板１１４上を転動している間に、図４（ａ）  に示すように、長尺物３０の中央部３２の上面側に触接している案内板１２が基準レベルより上方に押し上げられ、レベルゲージ１７の接触子１７１が上方に移動して反り量ｈが測定される。そして、測定された反り量ｈが測定針１７１の移動量の信号として表示部に送信され、予め設定された許容反り量と比較されて、反り量ｈが許容反り量よりも大きくなっている場合には、その長尺物３０は不良品として判定される。
【００１８】
一方、竪樋である長尺物３０の外径が真円でなく変形している場合、長尺物３０の両端部３１、３１は天板１１４、１１４と案内板１２ａ、１２ａとの間で挟まれた状態で転動するときに、長尺物３０の両端部３１、３１が天板１１４上を一回転する間に、図４（ｂ）  に示すように長尺物３０の短径と長径との間で案内板１２ａ、１２ａを上下移動することになる。
【００１９】
このように長尺物３０が天板１１４上を転動している間に、長尺物３０の両端部３１の上面側に触接している案内板１２ａ、１２ａが基準レベルより上方に押し上げられ、レベルゲージ１７の接触子１７１が上方に移動して変形量ｓが測定される。そして、測定された変形量ｓが測定針１７１の移動量の信号として表示部に送信され、予め設定された許容変形量と比較されて、変形量ｓが許容変形量りも大きくなっている場合には、その長尺物３０は不良品として判定される。
【００２０】
以上、本発明の実施の形態を図面により詳述してきたが、具体的な形態はこの実施の形態に限られものではなく、本発明の要旨を逸脱しない範囲における設計の変更等があっても本発明に含まれる。
【００２１】
例えば、搬送台１１として天板１１４を傾斜させたものを使用したが、長尺物を転動させる手段として自由落下に代えてベルトコンベヤ等の駆動手段を用いれば水平であってもよい。
また、レベルゲージ１７としてダイヤルゲージを用いたが、赤外線等の光を感知する受光センサーを用いてもよい。
【００２２】
【発明の効果】
本発明の長尺物の外形検査装置は、このように、長尺物の反りを、効率よく、しかも、正確に検査することができる。特に、連続して製造される竪樋やパイプの場合にも、反りや変形を連続して検査することができ、作業効率が著しく向上する。
【図面の簡単な説明】
【図１】本発明の長尺物の外形検査装置の実施の形態の一例を示す概略構成図である。
【図２】本発明の長尺物の外形検査装置の使用状態を示す側面図である。
【図３】その長尺物の外形検査装置の作動を説明するための図で、同図（ａ）  は長尺物が下向きに湾曲している正面図、同図（ｂ）  は上向きに湾曲している正面図である。
【図４】同じく長尺物の外形検査装置の作動を説明するための図で、同図（ａ）  は長尺物の中央部の上下方向の反りを検査している状態の横断面図、同図（ｂ）  は長尺物の端部の断面形状を検査している状態の横断面図である。
【符号の説明】
１０    長尺物の外形検査装置
１１    搬送台
１１４  天板
１２    案内板
１３  基準面
１７    レベルゲージ
２１    コンベヤ
３０  長尺物
３１    両端部
３２  中央部
【図１】
2004226210.tif 000003
【図２】
2004226210.tif 000004
【図３】
2004226210.tif 000005
【図４】
2004226210.tif 000006